(57)【要約】【課題】従来よりも爪先部分のねじれ歪が小さく、永久変形も減少させるスキーブーツを提供する。【解決手段】このスキーブーツは、プラスチック材料でできたシェル（２）を具備し、このシェルは、底壁（９），２つの側壁（６），爪先部分（５），シェル（２）に対し横切るように中足部分の爪先部分（５）近傍で延びた可とう性部分（１１），そしてシェルの後部（１５）から各側壁に沿って延び底壁と可とう性部分の各横端部（１１ａ，１１ｂ）の近傍で接続された２つの剛化性縦部材（１７，１８）を有していて、シェル中に形成されているとともに縦部材（１７，１８）を一体的に備えている剛化性のフレーム（１６）と、縦部材の各前端部（１７ａ，１８ａ）に接続されて可とう性部分の近くに延びておりシェルの屈曲に沿って弾性的に変形する横構造体（２０）と、を備えていることを特徴とする。【選択図】    図２
2005176859.tif 000002
【特許請求の範囲】
【請求項１】
プラスチック材料でできたシェル（２）を具備し、このシェルは、底壁（９）と、２つの側壁（６）と、爪先部分（５）と、シェル（２）に対して横切るように中足部分の爪先部分（５）の近くで延びた可とう性部分（１１）と、シェル（２）の後部（１５）から各側壁（６）に沿って延び底壁（９）と可とう性部分（１１）の各横端部（１１ａ，１１ｂ）の近くで接続された２つの剛化性の縦部材（１７，１８）と、を有するスキーブーツであって、シェル（２）中に形成されているとともに縦部材（１７，１８）を一体的に備えている剛化性のフレーム（１６）と、縦部材（１７，１８）の各前端部（１７ａ，１８ａ）に接続されて可とう性部分（１１）の近くに延びておりシェル（２）の屈曲に沿って弾性的に変形する横構造体（２０）と、を備えていることを特徴とするスキーブーツ。
【請求項２】
前記横構造体（２０）は、底壁（９）に埋め込まれた底部（２１）を有することを特徴とする請求項１のスキーブーツ。
【請求項３】
前記横構造体（２０）は、可とう性部分（１１）と爪先部分（５）との間の接続部（１２ｂ）に実質的に沿ってシェル（２）に対して横切るように延びた上部（２２）を有することを特徴とする請求項１もしくは２のスキーブーツ。
【請求項４】
前記上部（２２）は、爪先部分（５）と可とう性部分（１１）との間の接続部（１２ｂ）を規定しているシェル（２）のリブ内に収容されていることを特徴とする請求項３のスキーブーツ。
【請求項５】
前記可とう性部分（１１）は、波状の外形を有し、シェル（２）の内側面の前方側の端部（１１ａ）とシェル（２）の外側面の後方側の端部（１１ｂ）との間で斜めに延びていることを特徴とする請求項１乃至４の何れか１項のスキーブーツ。
【請求項６】
横構造体（２０）の底部（２１）は、平らであり、また可とう性部分（１１）の２つの横端部（１１ａ，１１ｂ）の間に位置された底壁（９）の屈曲部に対して前方へ延びた可とう性前部（２１ｃ）を有することを特徴とする請求項５のスキーブーツ。
【請求項７】
前記フレーム（１６）をシェル（２）に機械的に固定している保持手段（３０）を有することを特徴とする請求項１乃至６のいずれか１項のスキーブーツ。
【請求項８】
前記保持手段は、シェル（２）及びフレーム（１６）の縦部材（１７，１８）の一部分を形成している複数のループ状部材（３０）を有することを特徴とする請求項７のスキーブーツ。
【請求項９】
前記２つの縦部材（１７，１８）は、夫々に、シェル（２）の内面と面一な内面（２５）と、シェル（２）の側壁（６）の外側で突出している外側リブ（２８）とを有することを特徴とする請求項８のスキーブーツ。
【請求項１０】
前記フレーム（１６）は、縦部材（１７，１８）を一体的に接続しているとともに底壁（９）のかかと部分（９ａ）に埋め込まれている剛化性の横部材（２４）を有することを特徴とする請求項１乃至９のいずれか１項のスキーブーツ。
【発明の詳細な説明】
【０００１】
【発明の属する技術分野】
本発明は、スキーブーツ、特にテレマークスキーのためのスキーブーツ、に関係している。
【０００２】
【従来の技術】
公知のように、テレマークスキーは、従来のスキーブーツにおけるように堅く締められるのではなく、かかとがスキーから離れるように曲げることを許容する可とう性の中足領域を備えたブーツを必要とする。
テレマークスキーブーツは、必要程度の可とう性を果たすように、伝統的に革製である。近年では、しかしながら、革製よりも技術的に優れ、見栄えがし、頑丈で、より耐磨耗性を有するプラスチック製のテレマークスキーブーツに流行が向いている。
【０００３】
必要程度の可とう性を果たす為に、プラスチック製ブーツの中足領域は、通常、可とう性の壁部分を有していて、これの可とう性は、これが、特定の、通常は波状の、形状を有するか、または、シェルの残りの部分より可とう性の高い材料によって形成されるかによって得ている。ブーツの多少なりとも可とう性を有する部分のための、異なった機械特性を有するプラスチック材料の使用は、共射出処理（co-injection process）することによって可能にされる。
【０００４】
【発明が解決しようとする課題】
しかしながら、一部分の可とう性を増すことによって、ブーツのねじれ剛性が損なわれ、これによってスキーの制御と性能と安全性とを損なう可能性もある。
【０００５】
この問題の解決法として、ヨーロッパ特許公開公報ＥＰＯ−Ａ−１０２３８４９号は、シェルの横壁に沿って、可とう性壁部分に近い靴底の中間部とかかとにおけるシェル後部との間で延びた剛化リブを有するブーツシェルを提案している。
【０００６】
この解決法は、公知のブーツと比較してシェルのねじれ剛性を向上させる一方で、シェルの後部と比較して爪先部分の相対的に激しいねじれ歪を依然として許容できることが判っている。
【０００７】
更に、可とう性部分は、変形に続くこの形状の回復が遅いという傾向があり、そして所定数の屈曲サイクルの後にある程度の量の永久変形を保持するような傾向がある。
【０００８】
本発明の課題は、典型的には公知のブーツに関連する上述の問題点を解決するべくデザインされた、プラスチック製のスキーブーツ、特にテレマークスキーブーツ、を提供することである。
【０００９】
【課題を解決するための手段】
本発明に従えば、プラスチック材料でできたシェルを具備し、このシェルは、底壁と、２つの側壁と、爪先部分と、シェルに対して横切るように中足部分の爪先部分の近くで延びた可とう性部分と、シェルの後部からシェルの各横壁に沿って延び底壁と可とう性部分の各横端部の近くで接続された２つの剛化性の縦部材と、を有するスキーブーツであって、シェル中に形成されているとともに縦部材を一体的に備えている剛化性のフレームと、縦部材の各前端部に接続されて可とう性部分の近くで延びておりシェルの屈曲に沿って弾性的に変形する横構造体と、を備えていることを特徴とするスキーブーツが提供される。
【００１０】
好ましくは、横構造体は、環状であり、また、底壁に埋め込まれた底部と、シェルに対して横切り可とう性部分と爪先部分との間の接続部に実質的に沿って延びている上部と、を備えている。
【００１１】
本発明の好ましく非限定的な実施の形態が、添付図面を参照して説明される。
【００１２】
【発明の実施の形態】
図１の符号１は、スキーブーツ、特にテレマークスキーブーツ、全体を示している。
【００１３】
ブーツ１は、プラスチック材料から形成されたシェル２と、靴底３と、くるぶしでシェル２にヒンジ付けされたシャンク４と、を実質的に備えている。
【００１４】
シェル２（図２）は、爪先部分５と、公知のタング７（図１）によって閉じられている前開口部８を形成している２つの側壁６と、シェルの底部を閉じていてかかと部分９ａを浮き彫りで形成している底壁もしくは中底９と、を一体的に備えている。中底９は、また、爪先部分５から突出していて公知の方法でスキーのクランプ（図示せず）と共働する爪先フランジ９ｂを形成する。エラストマー材料により形成された外側靴底１０が中底９の底部に固定され、中底９と共に靴底３を形成する。
【００１５】
シェル２は、また、靴底３の一側から他側までシェルに対して横切るように延びていて、装着者の中足、即ちシェル２の爪先部分５の近くに実質的に位置されている可とう性部分１１を備えている。
【００１６】
可とう性部分１１は、半径の中間部１２ａによって分けられた２つの溝１２によって規定された波状の外形を有し、足の自然な屈曲軸に従うように好ましくは斜めに延び、ブーツ１の外側面上の端部１１ｂ（図４の点線）に対して前方に位置されたブーツ１の内側面上の一端部１１ａを有する。
シャンク４は、くるぶしの横方向ヒンジ軸に沿うように各ヒンジ１３によってシェル２の側壁６に接続されている。ブーツ１は、ブーツの後部１５に、実質的にはかかとの上に、位置されていて、シェル２に対するシャンク４の傾斜を制御するための装置１４を有する。
【００１７】
ブーツ１は、シェル２（図２）中に共に射出された剛化性のフレーム１６を備えている。フレーム１６（図３）は、ブーツの後部１５から延びた各側壁６に埋め込まれた２つの縦部材１７，１８を備えていて、２つの縦部材１７，１８はそれらが接合されているブーツの後部１５から中底９の近くで可とう性部分１１の各横端部１１ａ，１１ｂへと延びていて、そこで各端部１７ａ，１８ａはフレーム１６の一部を形成しているとともに剛化性の横構造体２０に接続されている。横構造体２０は、少なくとも部分的に可とう性部分１１を超えて爪先部分５の方へ延びていて、シェル２の屈曲と平行して弾性的に変形する。
【００１８】
構造体２０は、閉じられた環状形状であることが有利であって、中底９に埋め込まれた平らな底部２１と、リブ１２ｂの内側でシェル２に対して横切るように延びているアーク形状、実質的に三角形、の断面の上部２２とを備えている。リブ１２ｂは、溝１２に対して平行で、可とう性部分１１とシェル２の爪先部分５との間で、部材１７，１８に対しほぼ直交する平面に実質的に沿って接続部を形成する。
【００１９】
上部分２２（図３）の端部から後方へ延びた底部２１は、ブーツの内側面に隣接した横部分２１ａに沿って一定幅（シェル２の測定された長さ）で、外側面に隣接した横部分２１ｂに沿った幅は徐々に狭くなっていて、かくして、可とう性部分１１の端部１１ａ,１１ｂの間に配置された中底９の屈曲部に対して前方へ延びている実質的にＶ字形状の中間の中央付属物２１ｃを形成する。
【００２０】
フレーム１６は、また、中底のかかと部分９ａに位置されていて縦部材１７，１８を一体的に接続しているさらなる横部材２４を備えている。
【００２１】
フレーム１６は、シェル２と化学的に類似しているがこれより機械的に剛いプラスチック材料から好ましくは射出成形されている。シェル２の材料が型中に予め位置されていたフレーム１６上に射出されたとき、フレーム１６の材料の表面は柔らかくなり材料の接着を促進する。
【００２２】
部材１７，１８の内面２５は、シェル２の内面と面一である（flush with）ことが好ましくは、そして、横方向の凹部２６を有する。部材１７，１８は、凹部２６の端部に位置された貫通孔２７を有する。その結果、シェル２が射出された時に、シェル２の材料は凹部２６を貫通孔２７を介して“満たし”、縦部材１７，１８の対応する部分を囲む“ループ状の”部分３０を形成して、フレーム１６をシェル２に機械的に固定する。好ましくは、縦部材１７，１８は、夫々に、シェル２（図１）から突出し盛り上がっている外側縦リブ２８を有する。また、外側縦リブ２８は、射出成形型中へのフレーム１６の正確な位置と、装飾的なモチーフの形成、特にシェル２とフレーム１６とが異なった色の材料から形成されるとき、の両方の為に提供されている。
【００２３】
縦部材１７，１８とフレーム１６の一部分２１とは、また、フレーム１６をシェル２に機械的に固定するための穴３１を有する。
【００２４】
実際に使用する際、部材１７，１８に一体的に接続されている横構造体２０は、シェル２、特に爪先部分５、のねじれ歪を、シェルの残りの部分と比較して、大幅に減少させる。テレマークスキーブーツは爪先部分のみでスキーに接続されるので、爪先のねじれ歪を減少させることは、、スキー制御の点で非常に大きい利点を得える。
【００２５】
構造体２０、そして、特に一部分２１、リーフスプリングとして実質的に機能することによってシェル２２の曲げに実質的に関係するその付属物２１ｃ、のお蔭によって、爪先部分５はより弾性を有するようになり、シェル２が永久的な変形のある量を保持をしようとする傾向が減少される。一部分２１の形状は、シェル２の屈曲の剛性を過度に増すことなく所望のスプリングバック効果を得させている。
【００２６】
フレーム１６を用いることによって、シェル２は、かなり薄く形成され得る。かくして、ブーツ１の全重量が減じられる。
最後に、可とう性部分１１の傾斜は、足の自然な動きを助けるので、屈曲する際にブーツの効果と快適さとを大いに増す。
明らかに、しかしながら、添付の請求項の範囲から逸脱することなく、本明細書で述べられたように、ブーツ１は改良され得る。
【図面の簡単な説明】
【図１】図１は、本発明に従ったテレマークブーツの側面図を示す。
【図２】図２は、図１のブーツのシェルの縦断面を示す。
【図３】図３は、図２のシェルの剛化性のフレームの斜視図を示す。
【図４】図４は、図３のフレームの平面図を示す。
【符号の説明】
２  シェル
５  爪先部分
６  横壁
９  底壁
１１  可とう性部分、
１１ａ，１１ｂ  横端部
１２ｂ  接続部
１６  フレーム
１７，１８  縦部材
１７ａ，１７ｂ  前端部
２０  横構造体
２１  底部
２１ｃ  可とう性前部
２２  上部
２５  内面
２８  外側縦リブ
３０  ループ状部材
【図１】
2005176859.tif 000003
【図２】
2005176859.tif 000004
【図３】
2005176859.tif 000005
【図４】
2005176859.tif 000006